(57)【要約】【課題】食器洗い機の重要性能である洗浄性能及び騒音性能を低下させることなしに生産性の向上が図れる食器洗い機を提供する。【解決手段】内蓋３の形状を、内面側は内蓋３内面からの落下水が食器かご６に収納された食器類５により多く当たるように、食器類５の上方が下に凸となった波形形状にし、さらに、外面側は洗浄ノズル４から噴射される洗浄水が内蓋３を叩く時に発生する音を低下させる為に貼るゴム系の防振材１４が貼り付け易いように凹凸のない平坦な形状にすることにより、洗浄性能や騒音性能を低下させることなしに上記課題を解決できる。【選択図】図１
2014100427.tif 000002
【特許請求の範囲】
【請求項１】
食器類を収納する上方に開口部を有する洗浄槽と、前記開口部に開閉自在に設けられた内蓋と、前記洗浄槽内に配した洗浄ノズルと、前記洗浄ノズルに洗浄水を圧送する洗浄ポンプと、洗浄水の温水化及び食器類の乾燥を行うためのヒータと、乾燥運転時に前記洗浄槽内の蒸気を機外に排出するための送風ファンと、前記洗浄槽内の洗浄水の温度を検知するための温度検知装置と、前記ヒータ、洗浄ポンプ、温度検知装置、送風ファン等を制御して洗浄、すすぎ、乾燥の各工程を逐次制御する制御装置とを備え、前記内蓋は、内面側は凹凸のある波形形状に形成され、かつ、外面側は凹凸のない平坦な形状に形成された食器洗い機。
【請求項２】
前記内蓋は、内面側は凹凸のある波形形状、外面側は平坦な形状に形成されたことにより生じる肉厚になる部分に中空部を備えた請求項１記載の食器洗い機。
【発明の詳細な説明】
【技術分野】
【０００１】
本発明は食器類の洗浄、すすぎ及び乾燥を行う食器洗い機に関するものである。より詳しくは、食器類を出し入れする洗浄槽の開口部を開閉する蓋体に関するものである。
【背景技術】
【０００２】
従来、食器洗い機本体から洗浄槽を引き出して洗浄槽に設けられた開口部から食器類を出し入れする引き出し式の食器洗い機においては、洗浄槽を食器洗い機本体内に収納して運転をする際に、洗浄水が洗浄槽外に漏れ出さないように、開口部を水密に閉塞する内蓋を備えるのが一般的である（例えば、特許文献１参照）。そして、この内蓋について、洗浄性能の向上、運転時の騒音の低減等を目的として種々の工夫がなされてきた。
【０００３】
図３はこの種の食器洗い機を示す側面断面図である。以下その構成について説明する。洗浄槽１は上方に開口部２を有し、この開口部２を内蓋３により開閉するとともに、内部に洗浄水を噴射する洗浄ノズル４が回転自在に設けられており、洗浄槽１内に食器類５を収納する食器かご６が配置されている。また、洗浄槽１内の洗浄水はヒータ７によって温水化され、洗浄ポンプ８にて洗浄ノズル４に圧送されて食器類５に向けて噴射し、循環することにより食器類５が洗浄される。洗浄工程が終了すると、排水ポンプ９によって洗浄水は機外に排出される。
【０００４】
また、乾燥工程時に洗浄槽１内の蒸気を排気口１１から機外に排出するための送風ファン１０を備え、温度検知装置１２は洗浄槽１の外底部に設けられ、洗浄槽１内の洗浄水の温度、外気温等を検知する。制御装置１３はヒータ７、洗浄ポンプ８、排水ポンプ９、温度検知装置１２、送風ファン１０等を制御して洗浄、すすぎ、乾燥の各工程を逐次制御する。
【０００５】
図４は内蓋３の部分断面を示したもので、内蓋３は、内蓋３内面からの落下水が食器かご６に収納された食器類５により多く当たるように、平坦ではなく食器類５の上方が下に凸となった波形形状となっており、さらに、外面側には洗浄ノズル４から噴射される洗浄水が内蓋３を叩く時に発生する音を低下させる為にゴム系の防振材１４が貼り付けられている。
【０００６】
以上のように構成された食器洗い機について、その動作を以下に説明する。食器類５を食器かご６にセットし、洗剤を投入し運転を開始すると、所定の水位まで洗浄水が洗浄槽１内に給水される。所定水位に達すると給水が停止し、洗浄ポンプ８、ヒータ７に通電され、洗浄水は加熱されながら洗浄ノズル４から食器類５に向け噴射され、食器類５の洗浄を行う。洗浄工程が終了すると排水ポンプ９に通電され、洗浄水を機外に排出する。つぎに新たに洗浄水が給水され、洗浄工程と同様の動作で食器類５のすすぎ工程が行われる。このすすぎ工程では、洗浄水を入れ替えながら複数回のすすぎ動作が行われ、最後のすすぎでは後の乾燥工程での食器類５の乾燥性能をより良くするため、高い温度の洗浄水ですすぐ加熱すすぎが行われる。加熱すすぎが終了すると排水ポンプ９に通電され、すすぎ水が機外に排出される。最後にヒータ７に断続的に通電しながら送風ファン１０を運転し食器類５を乾燥させる乾燥工程が行われる。
【先行技術文献】
【特許文献】
【０００７】
【特許文献１】特開２０１０−１８７９６１号公報
【発明の概要】
【発明が解決しようとする課題】
【０００８】
しかしながら、上記のような従来の食器洗い機においては、洗浄槽の天面を形成する内蓋の内面が、食器かごに収納された食器類に内蓋からの落下水がより多く当たるように、平坦ではなく波形形状になっており、それに合わせて外面も平坦ではなく波形形状になっている為、洗浄ノズルから噴射される洗浄水が内蓋を叩く時に発生する音を低下させる為に内蓋外面に貼られるゴム系の防振材が貼りにくいという問題を有していた。
【０００９】
本発明は、上記従来の課題を解決するもので、内蓋の形状に工夫をこらし、洗浄性能や騒音性能を低下させることなしに、生産性が向上する食器洗い機を提供することを目的としている。
【課題を解決するための手段】
【００１０】
本発明は上記目的を達成するために、食器洗い機の洗浄槽の天面を形成する内蓋を、内面側は凹凸のある波形形状に形成され、かつ、外面側は凹凸のない平坦な形状に形成されている。
【００１１】
これにより、食器洗い機の洗浄性能や騒音性能を低下させることなしに、生産性の向上を図ることができる。
【発明の効果】
【００１２】
本発明の食器洗い機は、洗浄性能や騒音性能を低下させることなしに、生産性が向上する食器洗い機を実現することができる。
【図面の簡単な説明】
【００１３】
【図１】本発明の実施の形態１の食器洗い機の側面断面図
【図２】（ａ）同食器洗い機の内蓋の要部断面図（ｂ）同食器洗い機の中空部を有した内蓋の要部断面図
【図３】従来の食器洗い機の側面断面図
【図４】従来の食器洗い機の内蓋の部分断面図
【発明を実施するための形態】
【００１４】
第１の発明は、食器類を収納する上方に開口部を有する洗浄槽と、前記開口部に開閉自在に設けられた内蓋と、前記洗浄槽内に配した洗浄ノズルと、前記洗浄ノズルに洗浄水を圧送する洗浄ポンプと、洗浄水の温水化及び食器類の乾燥を行うためのヒータと、乾燥運転時に前記洗浄槽内の蒸気を機外に排出するための送風ファンと、前記洗浄槽内の洗浄水の温度を検知するための温度検知装置と、前記ヒータ、洗浄ポンプ、温度検知装置、送風ファン等を制御して洗浄、すすぎ、乾燥の各工程を逐次制御する制御装置とを備え、前記内蓋は、内面側は凹凸のある波形形状に形成され、かつ、外面側は凹凸のない平坦な形状に形成されることにより、洗浄性能や騒音性能を低下させることなしに、生産性が向上する食器洗い機を実現することができる。
【００１５】
第２の発明は、上記第１の発明において、前記内蓋は、内面側は凹凸のある波形形状、外面側は平坦な形状に形成されたことにより生じる肉厚になる部分に中空部を備えたことにより、内蓋の品質の安定及び材料の削減を図ることができ、洗浄性能や騒音性能を低下させることなしに、生産性の向上を得ることができる。
【００１６】
以下、本発明の実施の形態について、図面を参照しながら説明する。なお、この実施の形態によって本発明が限定されるものではない。
【００１７】
（実施の形態１）
図１は本発明の実施の形態１における食器洗い機の側面断面図、図２は同食器洗い機の内蓋の要部断面図である。なお、上記従来例の食器洗い機と同一構成については同一符号を付してその説明を省略する。
【００１８】
以下、本発明の実施の形態１の食器洗い機について、その動作、作用を説明する。図１において、使用者は、食器洗い機本体内にレール装置（図示せず）によって前後に移動可能に支持された洗浄槽１を食器洗い機本体から前方（図面上では左方）に引き出し、洗浄槽１の上方に設けた開口部２から食器類５を食器かご６にセットし、洗剤を投入した後、洗浄槽１を押し込んで食器洗い機本体内に収納する。このとき、食器洗い機本体内の上方に待機していた内蓋３は、洗浄槽１の収納動作に連動して下降し、収納状態において開口部２を水密に閉塞する。
【００１９】
運転を開始すると、所定の水位まで洗浄水が洗浄槽１内に給水される。所定水位に達すると給水が停止し、洗浄ポンプ８、ヒータ７に通電され、洗浄水は加熱されながら洗浄ノズル４から食器類５に向け噴射され、食器類５の洗浄を行う。この際、運転開始時に温度検知装置１２によって外気温を測定し、その情報を制御装置１３に伝達しておく。温度検知装置１２は外気温の他、洗浄槽１内の洗浄水の温度も測定し、その情報を制御装置１３に伝達する。洗浄工程が終了すると排水ポンプ９に通電され、洗浄水を機外に排出する。
【００２０】
つぎに新たに洗浄水が給水され、洗浄工程と同様の動作で食器類５のすすぎが行われる。このすすぎ工程は、ヒータ７に通電しない状態で洗剤を用いずに洗浄水を入れ替えて行う水すすぎを２〜３回行った後、最後には、後の乾燥工程での食器類５の乾燥性能をより良くするため、ヒータ７に通電して高い温度の洗浄水ですすぐ加熱すすぎが行われる。加熱すすぎが終了すると排水ポンプ９に通電され、すすぎ水が機外に排出され、すすぎ工程を終了する。
【００２１】
つぎにヒータ７に断続的に通電しながら送風ファン１０を運転し、食器類５の乾燥を行う乾燥工程が行われる。乾燥工程が終了すると、食器洗い機の運転を終了する。
【００２２】
以下、図２を用いて内蓋３の形状について説明する。図２（ａ）に示すように、内蓋３は略矩形の板状に形成され、内面側は、内蓋３内面からの落下水が食器かご６に収納された食器類５により多く当たるように、食器類５の上方に位置する部分が下に凸となった波形形状に形成されている。さらに、外面側は、洗浄ノズル４から噴射される洗浄水が内蓋３を叩く時に発生する音を低下させる為に貼るゴム系の防振材１４が貼り付け易いように、凹凸のない平坦な形状に形成されている。
【００２３】
内蓋３をこのように構成することにより、本実施の形態の食器洗い機は、洗浄性能や騒音性能を低下させることなしに、生産性の向上を図ることができる。また、防振材１４の内蓋３への接着を確実かつ安定なものとすることができるので、騒音性能を長期に亘り安定して維持することができる。
【００２４】
さらに、図２（ｂ）に示すように、内蓋３の形状を内面側は凹凸のある波形形状、外面側は平坦な形状に形成されたことにより生じる肉厚になる部分に中空成形等により中空部３ａを設けることにより、内蓋３の品質の安定及び材料の削減を図ることができる。
【産業上の利用可能性】
【００２５】
以上のように、本発明にかかる食器洗い機は、洗浄性能や騒音性能を低下させることなしに、生産性を向上させることができるので、洗浄槽の天面が開閉自在な内蓋で構成される食器洗い機等として有用である。
【符号の説明】
【００２６】
１  洗浄槽
３  内蓋
３ａ  中空部
４  洗浄ノズル
５  食器類
７  ヒータ
８  洗浄ポンプ
１０  送風ファン
１１  排気口
１３  制御装置
１４  防振材
【図１】
2014100427.tif 000003
【図２】
2014100427.tif 000004
【図３】
2014100427.tif 000005
【図４】
2014100427.tif 000006